(57)【要約】【課題】熱圧定着方式のプリンタを用いても印字汚れが発生しないようにすること。【解決手段】同一サイズの上紙１１と台紙１２を重ねて貼り合わせた配送伝票１０において、上紙１１にスリット１７を介して管理票１３と貼付票１４とを区画形成し、貼付票１４の内側にミシン目１８で囲んだ配達票１５と入金票１６を設け、特に配達票１５と入金票１６について、上紙１１と台紙１２との間の擬似接着構造として印刷開始位置から印刷終了位置に向かって非接着部２５の占める領域が狭くなっていくようにした。【選択図】図１
2007001165.tif 000002
【特許請求の範囲】
【請求項１】
用紙を重ね合わせて全体の周縁あるいは一部の周囲を接着してなり、熱圧定着方式のプリンタで印刷を行う貼合帳票において、印刷開始位置となる用紙の上端側から印刷終了位置となる用紙の下端側に向かって非接着部の占める領域が狭くなっていくことを特徴とする貼合帳票。
【請求項２】
上記接着部を周縁四辺に沿って塗布した粘着剤と剥離剤とで接着することにより、剥離可能な伝票を有する配送伝票としたことを特徴とする請求項１に記載の貼合帳票。
【請求項３】
上記接着部を周縁三辺に沿った完全接着にすることにより、残る一辺に開口部を有する封筒としたことを特徴とする請求項１に記載の貼合帳票。
【発明の詳細な説明】
【技術分野】
【０００１】
本発明は、用紙を重ね合わせて接着した貼合帳票に関する。
【背景技術】
【０００２】
図５は、上記のような貼合帳票の一例として、従来の配送伝票の構成を示したものである。同図の配送伝票５０は、同一サイズの上紙５１と台紙５２を重ねて貼り合わせ、上紙５１に貼付票５３、配達票５４、及び入金票５５からなる伝票が設定され、台紙５２は使用時に剥がし取る剥離紙になっている。また、配達票５４と入金票５５を切り離しできるようにするため、配達票５４と入金票５５の周囲にミシン目５６が形成され、上紙５１と台紙５２の間には、配達票５４及び入金票５５の周縁四辺に沿って粘着剤と剥離剤を塗布してなる擬似接着部５７が設けられている。なお、周縁四辺に沿って限定して塗布する理由は、全面に塗布されていると用紙の伸縮度合いが大きくなり、剥がし取った配達票５４と入金票５５が湾曲状にカールしてしまうからである。
【０００３】
このような構成からなる従来の配送伝票にあっては、レーザービームプリンタで印刷を行うと以下のようなトラブルがあった。
【０００４】
レーザービームプリンタのような、いわゆる熱圧定着方式のプリンタは、感光ドラムに付着させたトナーを用紙に転写し、ヒートローラで熱や圧力をかけて用紙にトナーを定着させるようになっている。ところが、このトナー定着時において、図６に示すように、配送伝票がヒートローラ１を通過する際にその熱圧を受けて用紙がしごかれるため、非接着部５８に閉じ込められた空気が下端の擬似接着部５７に向かって押されていく。この押された空気は逃げ場を失って上紙５１を持ち上げ、ヒートローラ１が通過するとき上紙５１を押しつぶすことによりシワが生じてしまう。このシワの部分にはトナーが安定して定着せず、印字汚れが発生するという問題があった。
【０００５】
なお、下記の特許文献には、上記のような印字トラブルの原因となるシワの発生を防止する技術が開示されている。その技術とは、部分ラベルの上下の縁にのみ粘着剤を塗布して左右の縁に空気の逃げ道を形成するというものである。しかし、この方法によると、左右の縁には粘着剤が塗布されず非接着状態になっていることから、ラベルと台紙との接着強度が弱く、ラベルが簡単に脱落してしまうという欠点がある。
【０００６】
【特許文献１】特開２００４−１８４５１４号公報
【発明の開示】
【発明が解決しようとする課題】
【０００７】
本発明は、上記のような問題を解決するためになされたものであり、その目的とするところは、用紙を重ね合わせて接着した貼合帳票において、充分な接着強度を確保しつつ、特に、熱圧定着方式のプリンタを用いても印字汚れが発生しないようにした貼合帳票を提供することにある。
【課題を解決するための手段】
【０００８】
上記の目的を達成するため、本発明の貼合帳票は、用紙を重ね合わせて全体の周縁あるいは一部の周囲を接着してなり、熱圧定着方式のプリンタで印刷を行う貼合帳票において、印刷開始位置となる用紙の上端側から印刷終了位置となる用紙の下端側に向かって非接着部の占める領域が狭くなっていくことを特徴とする。
【０００９】
本発明の貼合帳票の好ましい実施態様としては、上記接着部を周縁四辺に沿って塗布した粘着剤と剥離剤とで接着することにより、剥離可能な伝票を有する配送伝票とすることができる。また、別の実施態様としては、上記接着部を周縁三辺に沿った完全接着にすることにより、残る一辺に開口部を有する封筒としてもよい。
【００１０】
本発明において使用可能な用紙としては、上質紙、普通紙、再生紙等が挙げられ、その中でも特に印刷適性に優れた上質紙が好適である。また、用紙の厚さについては薄口以上であれば充分であり、中厚口、厚口、特厚口と紙厚が大きくなるほど紙の腰が強くなるので、より高い効果が得られる。連量でいえば少なくとも４５Ｋ以上が必要であり、より好ましくは５５Ｋ以上であるとよい。
【発明の効果】
【００１１】
本発明の貼合帳票によれば、印刷開始位置となる用紙の上端側から印刷終了位置となる用紙の下端側に向かって非接着部の占める領域が狭くなっていくことにより、熱圧定着方式のプリンタのヒートローラによって押された空気が用紙の下端側（非接着部の占める領域が狭くなっている側）に集められてもその空気が停滞し難くなる。すなわち、集められた空気は反発力となって用紙の上端側に向かって逃げるか、又は全面に分散されるように移動する。その結果、ヒートローラが通過する際に用紙が押しつぶされることがなくシワが生じない。よって、シワのない状態でトナーが定着するので、印刷終了位置付近に印字汚れが発生せず、綺麗な印刷が可能になるという効果が得られる。
【発明を実施するための最良の形態】
【００１２】
以下、本発明の実施例について、添付図面を参照しながら説明する。
【実施例１】
【００１３】
図１は本発明の貼合帳票を配送伝票に適用した実施例を示すものであり、同図（ア）は配送伝票の平面図、同図（イ）は上紙の裏面図、同図（ウ）は台紙の表面図である。また図２は本発明の貼合帳票における接着パターンの変形例を示す平面図であり、図３は本発明の貼合帳票の作用を説明する模式図である。
【００１４】
まず、本実施例の配送伝票の構成を説明する。
【００１５】
図１に示した配送伝票１０は、配送業者が配送品を管理するために用いられる伝票であって、同一サイズの上紙１１と台紙１２の二枚の用紙で構成され、台紙１２の上に上紙１１を重ねて貼り合わせた貼合帳票である。本実施例において、台紙１２と上紙１１には共に薄口の上質紙５５Ｋを使用している。上紙１１には管理票１３、貼付票１４、配達票１５、及び入金票１６からなる四つの伝票が区画形成されており、台紙１２は使用時に剥がし取る剥離紙になる。
【００１６】
上紙１１には幅方向に縦断する切り離し用のスリット１７が形成されており、スリット１７を境にして上側領域に管理票１３、下側領域にそれ以外の伝票１４〜１６を配置したレイアウトになっている。下側領域には周縁三辺を囲むようにして貼付票１４が配置されており、貼付票１４の内側には、切り離し可能なミシン目１８で囲まれた配達票１５と入金票１６が設けられている。
【００１７】
上紙１１と台紙１２の貼り合わせ構造を説明すると、管理票１３については、台紙１２の表面に塗布された接着剤２１により、上紙１１と台紙１２が剥離できないように完全接着されている。貼付票１４は、上紙１１の裏面に塗布された粘着剤２２と、台紙１２の表面に塗布された剥離剤２３とにより、上紙１１と台紙１２が剥離可能に擬似接着された状態である。残る配達票１５と入金票１６については、それぞれ台紙１２の表面の限定した箇所に塗布された粘着剤２２と、上紙１１の裏面の対応箇所に塗布された剥離剤２３とによって、上紙１１と台紙１２が剥離可能に擬似接着されている。
【００１８】
本実施例では、配達票１５と入金票１６において、台紙１２の表面に塗布される粘着剤２２の塗布パターンと、上紙１１の裏面に塗布される剥離剤２３の塗布パターンとを限定して、印刷開始位置となる上紙１１の上端１１ａ側から印刷終了位置となる上紙１１の下端１１ｂ側に向かって非接着部２５の領域が狭くなるようにした。すなわち、台紙１２の表面において、粘着剤２２を周縁四辺に沿って所定幅で塗布し、さらに配達票１５の四つのコーナー部のうち左右下側のコーナー部１５ａ，１５ｂに斜め方向に粘着剤２２を追加塗布して擬似接着部２４の面積を広げることによって、配達票１５の上端１５ｃから下端１５ｄに向かって非接着部２５の占める領域が途中から徐々に狭くなっている。入金票１６についても同様である。また、これに対向する上紙１１の裏面には、剥離剤２３が上記粘着剤２２の塗布パターンと同一パターンで塗布されている。
【００１９】
なお、擬似接着部２４のパターンとしては、図２に示すように、周縁四辺に沿って所定幅で粘着剤２２を塗布するとともに、その内側に、印刷開始位置から印刷終了位置に向かって徐々に網点率が高くなるように粘着剤２２を点在塗布する構成を採用してもよい。
【００２０】
以上が本実施例の配送伝票の構成であるが、次にその使用方法と作用を説明する。
【００２１】
まず配送業者は配送伝票１０について、管理票１３、貼付票１４、配達票１５、及び入金票１６の各伝票に所定事項を印刷する。管理票１３には伝票管理のための情報が印刷され、貼付票１４には配送品（図示せず）の届け先等が印刷される。
【００２２】
ここで、印刷後の配送伝票１０の使用方法を簡単に説明すると、配送業者はスリット１７を裂いて貼付票１４を剥がし、配送品に貼り付ける。また、ミシン目１８を切断して配達票１５と入金票１６を貼付票１４から切り離し、入金票１６を控えとして配達店に保管する。一方、配達員は複数の配送品から切り離した配達票１５，１５，…をまとめ、それを見ながら配送品の配達を行う。また、配達員は届け先で配送品を渡し、配達票１５に受取人の捺印又はサインをもらい、それを配達記録として配達店に持ち帰り、保管されている入金票１６との照合を行う。なお、事後処理として配達票１５の裏面に印刷をすることもできる。
【００２３】
ところで、この配送伝票１０によれば、配達業者が上記の印刷処理を行う際に、レーザービームプリンタを使用して印刷することが可能になる。従来の配送伝票５０は、図６で説明したように、レーザービームプリンタを使用した場合、トナー定着用のヒートローラ１を通過する際にヒートローラ１の熱圧によって用紙がしごかれると、配達票５４と入金票５５の下端部分にシワが生じ、印字汚れが発生していた。これに対し、本実施例の配送伝票１０によると、配達票１５と入金票１６の下端部分の印字汚れを効果的に防ぐことができる。その理由は次の通りである。
【００２４】
本実施例の配送伝票１０について、上端の管理票１３の部分から印刷が開始されるような向きでセットして印刷を行うと、従来と同様に、トナー定着用のヒートローラ１を通過する際にヒートローラ１の熱圧によって上紙１１と台紙１２がしごかれる。このとき、図３に示すように、配達票１５と入金票１６において、非接着部２５の空気が下端の擬似接着部２４に向かって押されていくが、本実施例では非接着部２５の占める領域が途中から徐々に狭くなっているので、擬似接着部２４に衝突した空気が中央に集められていく。この集められた空気は、図中矢印で示すように大きな反発力となって用紙の腰を強くする。したがって、ヒートローラ１が配達票１５と入金票１６の終端部分を乗り越えるときに上紙１１を押しつぶすことができなくなり、集められた空気は最終的に用紙の搬送方向に向かって逃げるようになっているのでシワが生じない。よって、シワのない状態でトナーが安定して定着するので、配達票１５と入金票１６の下端部分に印字汚れが発生せず、綺麗な印刷が可能になる。
【００２５】
なお、用紙の腰の強さは用紙の厚さにも左右されるので、用紙の厚さについては薄口以上であるのが望ましく、中厚口、厚口、特厚口と紙厚が大きくなるほど紙の腰が強くなりより高い効果が得られる。
【実施例２】
【００２６】
上述した実施例は本発明を配送伝票に適用した例であるが、本発明は他の用途においても同様に適用できる。図４は本発明の貼合帳票を封筒に適用した実施例を示すものであり、同図（ア）は封筒の平面図、同図（イ）は封筒の展開図である。
【００２７】
図４に示す封筒３０は、用紙３１の中心に設けられた折り返しライン３２に沿って谷折りし、左紙片３１ａと右紙片３１ｂを重ねて周縁を接着した貼合帳票である。本実施例において、用紙３１には中厚口の上質紙７５Ｋを使用している。
【００２８】
左紙片３１ａと右紙片３１ｂの周縁三辺を貼り合わせることにより、残る一辺が封筒開口部３３になり、封筒開口部３３に対向する辺が封筒底部３４になっている。すなわち、左紙片３１ａにおいて、左右両側辺と下辺に沿って所定幅で接着剤３５を塗布することにより、左紙片３１ａと右紙片３１ｂが剥離できないように完全接着される。しかも封筒底部３４の両コーナー部３６，３６に斜めに接着剤３５を塗布して接着部３７の面積を広げることによって、封筒開口部３３から封筒底部３４に向かって非接着部３８の占める領域が途中から徐々に狭くなっている。
【００２９】
この実施例の封筒３０においても、レーザービームプリンタを使用して綺麗に印刷することができる。封筒開口部３３から印刷が開始されるような向きでセットして印刷を行うと、トナー定着時にヒートローラ１の熱圧によって用紙３１がしごかれ、封筒３０内の空気が封筒底部３４に向かって押し込まれていく。本実施例でも封筒底部３４の中央に空気が集中して反発力となり用紙の搬送方向に向かって逃げるので、ヒートローラ１が封筒底部３４を乗り越えるときに用紙３１を押しつぶすことができなくなりシワが生じない。よって、シワのない状態でトナーが安定して定着するので、封筒底部３４付近に印字汚れが発生せず、綺麗な印刷が可能になる。
【００３０】
なお、本実施例では上記のように封筒底部３４付近の印字汚れを防ぐことができる上に、封筒底部３４に接着部３７の占める領域が増えて剛性が高まるので、封筒３０の底抜けを防ぐことができるという利点もある。
【図面の簡単な説明】
【００３１】
【図１】本発明の貼合帳票を配送伝票に適用した実施例を示すもので、同図（ア）は配送伝票の平面図、同図（イ）は上紙の裏面図、同図（ウ）は台紙の表面図である。
【図２】本発明の貼合帳票における接着パターンの変形例を示す平面図である。
【図３】本発明の貼合帳票の作用を説明する模式図である。
【図４】本発明の貼合帳票を封筒に適用した実施例を示すもので、同図（ア）は封筒の平面図、同図（イ）は封筒の展開図である。
【図５】従来の配送伝票の構成を示す平面図である。
【図６】従来の配送伝票の作用を説明する模式図である。
【符号の説明】
【００３２】
１０  配送伝票（貼合帳票）
１１  上紙
１２  台紙
１３  管理票
１４  貼付票
１５  配達票
１６  入金票
１７  スリット
１８  ミシン目
２１  接着剤
２２  粘着剤
２３  剥離剤
２４  接着部
２５  非接着部
３０  封筒（貼合帳票）
３１  用紙
３２  折り返しライン
３３  封筒開口部
３４  封筒底部
３５  接着剤
３６  コーナー部
３７  接着部
３８  非接着部
【図１】
2007001165.tif 000003
【図２】
2007001165.tif 000004
【図３】
2007001165.tif 000005
【図４】
2007001165.tif 000006
【図５】
2007001165.tif 000007
【図６】
2007001165.tif 000008